(57)【要約】【課題】  遠隔地の被測定者の健康管理を行いやすくする。【解決手段】  被測定者の身体に装着され、被測定者の生体情報を測定する生体情報測定装置１００と、生体情報を蓄積し、この生体情報の概要を示す概要情報を作成するホームサーバ２００と、概要情報を蓄積するセンタサーバ５００と、概要情報および生体情報を取得する端末装置７００とを備える生体情報管理システムとした。また、生体情報測定装置１００は、生体情報測定装置１００の無線通信部経由で、設置型生体情報測定装置３００から送信された生体情報を受信し、この生体情報を記憶部から読み出した被測定者の識別情報とともにホームサーバ２００へ送信するよう構成した。【選択図】      図１
2005329111.tif 000002
【特許請求の範囲】
【請求項１】
被測定者の身体に装着され、前記被測定者の生体情報を測定する生体情報測定装置と、前記生体情報を蓄積し、この生体情報の概要を示す概要情報を作成するホームサーバと、前記概要情報を蓄積するセンタサーバと、前記概要情報および前記生体情報を取得する端末装置とを備える生体情報管理システムであって、
前記生体情報測定装置は、
前記ホームサーバとの無線通信を行う無線通信部と、
生体センサで前記被測定者の生体情報を測定する生体情報測定部と、
前記被測定者の識別情報を記憶する記憶部と、
前記測定した生体情報を、前記記憶部から読み出した前記被測定者の識別情報とともに前記ホームサーバへ送信する生体情報送信部とを有し、
前記ホームサーバは、
前記生体情報測定装置との無線通信を行う無線通信部と、
ネットワーク経由で、各種情報の通信を行う通信部と、
前記生体情報測定装置から受信した前記生体情報を前記被測定者の識別情報ごとに記憶する生体情報記憶部と、
前記生体情報測定装置から受信した生体情報に基づいて、前記概要情報を作成する概要情報作成部と、
所定時間ごとに、前記ネットワーク経由で、前記作成した概要情報を前記センタサーバへ送信する概要情報送信部と、
前記センタサーバからの要求に応じて、前記生体情報記憶部から前記被測定者の生体情報を検索し、前記検索した生体情報を前記ネットワーク経由で前記センタサーバへ送信する生体情報提示部とを有し、
前記センタサーバは、
前記ネットワーク経由で、各種情報の通信を行う通信部と、
前記ホームサーバから受信した前記概要情報を前記被測定者の識別情報ごとに記憶する概要情報記憶部と、
前記端末装置からの要求に応じて、前記概要情報記憶部から前記被測定者の概要情報を検索し、前記検索した概要情報を、前記ネットワーク経由で前記端末装置へ送信する概要情報提示部と、
前記端末装置からの要求に応じて、前記概要情報のもととなった生体情報を、前記ネットワーク経由で、前記生体情報を保持するホームサーバから取得し、前記生体情報を前記端末装置へ送信する生体情報取得部とを有すること、
を特徴とする生体情報管理システム。
【請求項２】
請求項１に記載の生体情報管理システムは、前記被測定者の居室に設置され前記生体情報測定装置との無線通信を行う設置型生体情報測定装置をさらに備え、
前記設置型生体情報測定装置は、
前記生体情報測定装置との無線通信を行う無線通信部と、
生体センサで前記被測定者の生体情報を測定する生体情報測定部と、
前記設置型生体情報測定装置から所定距離内の生体情報測定装置へ前記測定した生体情報を送信する生体情報送信部と、
を有し、
前記生体情報測定装置は、
前記生体情報測定装置の無線通信部経由で、前記設置型生体情報測定装置から生体情報を受信し、この生体情報を前記記憶部から読み出した前記被測定者の識別情報とともに前記ホームサーバへ送信するよう構成されていること、
を特徴とする生体情報管理システム。
【請求項３】
被測定者の身体に装着され、前記被測定者の生体情報を測定する生体情報測定装置と、前記生体情報を蓄積し、この生体情報の概要を示す概要情報を作成するホームサーバと、前記概要情報を蓄積するセンタサーバと、前記概要情報および前記生体情報を取得する端末装置とを備える生体情報管理システムに用いられる生体情報管理方法であって、
前記生体情報測定装置が、
前記被測定者の生体情報を測定するステップと、
前記被測定者の識別情報を記憶する記憶部から前記被測定者の識別情報を読み出し、前記測定した生体情報を、前記被測定者の識別情報とともに、無線通信により、前記ホームサーバへ送信するステップと、
を実行し、
前記ホームサーバが、
無線通信により、前記生体情報測定装置から、前記被測定者の識別情報および前記生体情報を受信するステップと、
前記受信した生体情報の概要情報を作成するステップと、
前記作成した概要情報を、所定時間ごとに、前記ネットワーク経由で前記センタサーバへ送信するステップと、
前記センタサーバからの要求に応じて、前記被測定者の識別情報ごとの前記生体情報を記憶する生体情報記憶部から、前記被測定者の生体情報を検索し、前記検索した生体情報を前記センタサーバへ送信するステップと、
を実行し、
前記センタサーバが、
前記端末装置からの要求に応じて、前記被測定者の識別情報ごとの前記概要情報を記憶する概要情報記憶部から前記被測定者の概要情報を検索するステップと、
前記検索した概要情報を前記ネットワーク経由で前記端末装置へ送信するステップと、
前記端末装置からの要求に応じて、前記ネットワーク経由で、前記生体情報を保持するホームサーバから、前記概要情報のもととなった生体情報を取得するステップと、
前記取得した生体情報を、前記ネットワーク経由で、前記端末装置へ送信するステップと、
を実行することを特徴とする生体情報管理方法。
【請求項４】
請求項３に記載の生体情報管理方法の生体情報管理システムは、前記被測定者の居室に設置され前記生体情報測定装置との無線通信を行う設置型生体情報測定装置をさらに備え、
前記設置型生体情報測定装置は、
前記被測定者の生体情報を測定するステップと、
前記測定した被測定者の生体情報を無線通信により、前記設置型生体情報測定装置から所定距離内の生体情報測定装置へ送信するステップと、
を実行し、
前記生体情報測定装置は、
前記設置型生体情報測定装置から、前記生体情報を無線通信により、受信するステップと、
前記被測定者の識別情報を記憶する記憶部から前記被測定者の識別情報を読み出し、無線通信により、前記設置型生体情報測定装置で測定した生体情報を、前記被測定者の識別情報とともに前記ホームサーバへ送信するステップと、
をさらに実行することを特徴とする生体情報管理方法。
【請求項５】
コンピュータに請求項３または請求項４に記載の生体情報管理方法を実行させることを特徴とする生体情報管理用プログラム。
【発明の詳細な説明】
【技術分野】
【０００１】
本発明は、生体情報管理システム、生体情報管理方法および生体情報管理用プログラムに関する。
【背景技術】
【０００２】
従来から、遠隔地の患者に脈拍等を測定するセンサを装着し、患者の健康管理を行う技術がある（特許文献１参照）。
【特許文献１】特開２００２-２２４０５３号公報（請求項１等）
【発明の開示】
【発明が解決しようとする課題】
【０００３】
しかし、特許文献１に開示された技術には、以下の問題があった。
１）脈拍等、測定センサが測定した生体情報はサーバへ送信するが、多数の患者等を管理する場合、ネットワークの通信負荷が大きくなる。また、サーバ側も各患者（被測定者）の生体情報を管理できるよう大容量のデータ記憶装置を用意する必要がある。
２）脈拍等、測定センサを身体に装着しやすいものは、システムの管理対象とすることができるが、尿糖値等、測定センサを身体に装着しにくいものは、特許文献１のシステムにおいては管理対象とすることができない。
【０００４】
そこで、本発明は、前記した問題を解決し遠隔地の被測定者の健康管理を行いやすくする生体情報管理システム等を提供することを目的とする。
【課題を解決するための手段】
【０００５】
前記した課題を解決するため、本発明の生体情報管理システムは、被測定者の身体に装着され、被測定者の生体情報を測定する生体情報測定装置と、生体情報を蓄積し、この生体情報の概要を示す概要情報を作成するホームサーバと、概要情報を蓄積するセンタサーバと、概要情報および生体情報を取得する端末装置とを備える生体情報管理システムであって、生体情報測定装置は、ホームサーバとの無線通信を行う無線通信部と、被測定者の生体情報を測定する生体情報測定部と、被測定者の識別情報を記憶する記憶部と、測定した生体情報を、記憶部から読み出した被測定者の識別情報とともにホームサーバへ送信する生体情報送信部とを有し、ホームサーバは、生体情報測定装置との無線通信を行う無線通信部と、ネットワーク経由で、各種情報の通信を行う通信部と、生体情報測定装置から送信された生体情報を被測定者の識別情報ごとに記憶する生体情報記憶部と、生体情報測定装置から受信した生体情報に基づいて、概要情報を作成する概要情報作成部と、所定時間ごとに、ネットワーク経由で、作成した概要情報をセンタサーバへ送信する概要情報送信部と、センタサーバからの要求に応じて、生体情報記憶部から被測定者の生体情報を検索し、検索した生体情報をセンタサーバへ送信する生体情報提示部とを有し、センタサーバは、ネットワーク経由で、各種情報の通信を行う通信部と、ホームサーバから送信された概要情報を被測定者の識別情報ごとに記憶する概要情報記憶部と、端末装置からの要求に応じて、概要情報記憶部から被測定者の概要情報を検索し、検索した概要情報を、ネットワーク経由で端末装置へ送信する概要情報提示部と、端末装置からの要求に応じて、概要情報のもととなった生体情報を、ネットワーク経由で、生体情報を保持するホームサーバから取得し、生体情報を端末装置へ送信する生体情報取得部とを有する構成とした。
なお、その他の構成については、後記する実施の形態で述べる。
【発明の効果】
【０００６】
本発明によれば、ホームサーバが、生体情報測定装置で測定された生体情報の概要情報を作成し、この概要情報をセンタサーバへ送信するので、ネットワークの通信負荷を軽減することができる。
また、センタサーバ側は、生体情報の概要情報を蓄積するので、被測定者の情報を記憶するための記憶媒体（ハードディスク等）の容量を少なくすることができる。
さらに、尿糖値の測定装置等、生体情報測定装置を身体に装着しにくい生体情報についても、本システムの管理対象とすることができる。
【発明を実施するための最良の形態】
【０００７】
《第１の実施の形態》
以下、本発明の生体情報管理システム等を実施するための最良の形態（以下「実施の形態」という）を、図面を参照して詳細に説明する。
まず、図１を用いて、本発明の第１の実施の形態の概要について説明する。図１は、本発明の第１の実施の形態の生体情報管理システムの概要を示した図である。
【０００８】
第１の実施の形態の生体情報管理システムは、被測定者１の脈拍等、生体情報を測定する生体情報測定装置１００と、生体情報を蓄積し、この生体情報の概要である概要情報を作成するホームサーバ２００と、概要情報を蓄積するセンタサーバ５００と、概要情報および生体情報を取得する端末装置７００と、ホームサーバ２００、センタサーバ５００および端末装置７００を接続するネットワーク６００とを含んで構成される。
なお、本実施の形態では、生体情報測定装置１００およびホームサーバ２００は、被測定者１の居室１０の中にあるものとして説明する。
【０００９】
被測定者１は、例えば、自宅療養している患者や、一人暮らしの老人等であり、確認者２は、例えば、医者や被測定者１の家族等が考えられる。
また、生体情報測定装置１００およびホームサーバ２００は、無線通信手段を備え、無線通信により各種情報の送受信を行うものとする。
なお、ホームサーバ２００、センタサーバ５００および端末装置７００は、例えば、ＰＣ（Personal Computer）により構成される。また、ネットワーク６００は、例えば、インターネット網やＩＰ網である。
【００１０】
生体情報測定装置１００は、被測定者１の身体に装着され、被測定者１の生体情報（脈拍等）を測定し、測定した生体情報を所定時間ごと（例えば、１分間ごと）にホームサーバ２００へ送信する。ホームサーバ２００は、この生体情報を受信し、生体情報記憶部２３１に記憶・蓄積する。
併せて、ホームサーバ２００は、受信した生体情報の概要を示す概要情報を作成し、この情報をセンタサーバ５００へ送信する。センタサーバ５００は、ホームサーバ２００から送信された概要情報を受信し、概要情報記憶部５４１に記憶・蓄積する。
【００１１】
また、センタサーバ５００が、端末装置７００（確認者２）から、被測定者１の生体情報の概要情報の取得要求を受けると、概要情報を記憶する概要情報記憶部５４１から当該概要情報を検索して端末装置７００へ送信（提示）する。また、端末装置７００から、この概要情報のもととなった生体情報の取得要求を受けたときには、ネットワーク６００経由でホームサーバ２００から当該生体情報を取得して、この情報を端末装置７００へ送信（提示）する。
【００１２】
このようにすることで、確認者２は、被測定者１が遠隔地にいる場合でも、被測定者１の生体情報や概要情報を端末装置７００で閲覧し、健康状態を把握することができる。
また、生体情報はホームサーバ２００で蓄積し、センタサーバ５００では生体情報の概要情報を蓄積するようにするので、センタサーバ５００は自身で各被測定者１の生体情報を蓄積するよりも生体情報管理用の記憶媒体（ハードディスク等）のディスク容量を少なくすることができる。
また、ホームサーバ２００がセンタサーバ５００へ送信する情報は、主として概要情報であり、生体情報そのものについては端末装置７００（センタサーバ５００）からの取得要求があったときに送信すれば良いので、ネットワーク６００の通信負荷を軽減することができる。
【００１３】
次に、図２を用いて、本実施の形態の生体情報管理システムの各構成要素について詳細に説明する。図２は、図１の生体情報管理システムの構成を示したブロック図である。図３は、リストバンド型の生体情報測定装置を例示した図である。
まず、生体情報測定装置１００の説明をする。
【００１４】
（生体情報測定装置）
生体情報測定装置１００は、被測定者１に装着され、被測定者１の生体情報（脈拍等）を測定し、この生体情報を所定時間ごとにホームサーバ２００へ送信する手段である。生体情報測定装置１００は、図２に示すように、無線通信部１１０と、生体情報測定部１２０と、生体情報送信部１３０と、記憶部１４０と、表示制御部１５０と、応答入力制御部１６０とを含んで構成される。
【００１５】
無線通信部１１０は、ホームサーバ２００との無線通信を行うための手段であり、例えば、無線アンテナや送受信機で構成される。
【００１６】
生体情報測定部１２０は、被測定者１の生体情報を測定する手段である。生体情報とは、例えば、脈拍数等であり、生体情報測定部１２０は被測定者１の手首等身体の一部に装着してから脈拍等を測定する生体センサＳ（図３参照）等を備える。
なお、生体センサＳは、脈拍の他に、被測定者１の歩いた歩数、血圧、血中酸素飽和度、体温、呼吸、眼球運動、脳波等を測定するセンサであっても良い。
【００１７】
記憶部１４０は、被測定者１を識別するための識別情報（ＩＤ）を記憶し、生体情報測定部１２０で測定した生体情報を一時的に記憶する手段である。
【００１８】
生体情報送信部１３０は、記憶部１４０から被測定者１の識別情報と生体情報測定部１２０で測定した被測定者１の生体情報とを読み出し、これらの情報を無線通信部１１０経由で、ホームサーバ２００へ送信する手段である。
なお、生体情報送信部１３０は、送信データを暗号化する手段をさらに備え、生体情報の送受信においてセキュリティを確保するようにしても良い。
表示制御部１５０は、表示部Ｍ（図３参照）への情報表示（被測定者１に服薬を促すメッセージの表示等）を制御する手段である。応答入力制御部１６０は、応答入力部Ｒ（図３参照）への入力を受け付ける手段である。
【００１９】
この生体情報測定装置１００の形状は、被測定者１の生体情報を測定しやすく、かつ被測定者１の身体に装着しやすい形状であることが好ましく、例えば、リストバンド型のものが考えられる。
【００２０】
例えば、図３に示すように、リストバンド型の生体情報測定装置１００の生体センサＳを被測定者１の手首側（内側）に組み込むようにする。このようにすることで、被測定者１が生体情報測定装置１００を装着したときに、生体情報測定部１２０が脈拍等を正確に測定しやすくなる。
【００２１】
また、生体情報測定装置１００は、図３に示すように、ネットワーク６００およびホームサーバ２００経由で受信した、確認者２からのメッセージを表示する表示部Ｍや、被測定者１からの応答の入力を受け付ける応答入力部Ｒを備える。
【００２２】
例えば、表示部Ｍは、確認者２からの被測定者１に薬の服用を促すメッセージや、健康に関するアドバイスを表示する。このような情報を表示することで、被測定者１は、確認者２からの健康管理に関するメッセージを目視等で確認しやすくなる。
また、表示部Ｍを、液晶モニタ、ランプ、スピーカ、バイブレータ等で構成して、前記した各メッセージの他、被測定者１に応答入力部Ｒへの応答入力を促す光、音、振動等のアラームを出力するようにしても良い。
応答入力部Ｒは、例えばボタン等で構成される。応答入力制御部１６０は、被測定者１からの応答入力部Ｒへの応答入力を受け付けると（ボタンが押圧されると）、この応答に関する情報を無線通信部１１０（図２参照）に受け渡す。そして、この情報は無線通信部１１０からホームサーバ２００へ送信される。
【００２３】
この後、センタサーバ５００が、生体情報測定装置１００に入力された被測定者１からの応答をホームサーバ２００経由で受け取り、記憶・蓄積することで、確認者２は被測定者１が指示された薬を飲んでいるか、被測定者１が生存しているか等を確認することができる。すなわち、確認者２が端末装置７００でセンタサーバ５００に蓄積された被測定者１の応答履歴を閲覧できるようにすることで、被測定者１がメッセージに応答しているか否かを把握できる。
【００２４】
なお、生体情報測定装置１００の形状は、被測定者１の生体情報を測定しやすく、身体に装着しやすければ、リストバンド型の他、ペンダント型、指輪型等であっても良い。
【００２５】
ちなみに、生体情報測定部１２０、生体情報送信部１３０、表示制御部１５０および応答入力制御部１６０は、ＣＰＵ（Central Processing Unit、図示せず）が記憶部１４０に格納された生体情報管理用プログラムをメモリ（図示せず）上にロードし、実行することにより実現される。
【００２６】
（ホームサーバ）
図２に戻り、ホームサーバ２００の説明をする。
ホームサーバ２００は、生体情報測定装置１００から送信された生体情報を蓄積し、この生体情報の概要情報を作成する手段である。ホームサーバ２００は、無線通信部２１１と、通信部２１２と、概要情報作成部２２０と、記憶部２３０と、概要情報送信部２４０と、生体情報提示部２５０とを含んで構成される。
【００２７】
無線通信部２１１は、生体情報測定装置１００との無線通信を行う手段であり、例えば無線アンテナや送受信機によって構成される。
【００２８】
通信部２１２は、ネットワーク６００経由で、センタサーバ５００等と各種情報の送受信を行う手段である。
【００２９】
概要情報作成部２２０は、生体情報測定装置１００から受信した生体情報に基づいて、概要情報を作成する手段である。
なお、本実施の形態における概要情報とは、生体情報の概要を示す情報であり、例えば、生体情報が１分間の脈拍数の情報のとき、この情報に基づき算出した被測定者１の脈拍数（回／分）の１時間分の平均値が考えられる。
概要情報作成部２２０は生体情報に基づき概要情報を作成すると、この情報を概要情報送信部２４０（後記）へ受け渡す。
【００３０】
記憶部２３０は、ホームサーバ２００で生体情報管理を行うための生体情報管理用プログラムを格納し、所定領域に生体情報記憶部２３１を有する。生体情報記憶部２３１は、ホームサーバ２００が生体情報測定装置１００から受信したとき、被測定者１の識別情報ごとにこの生体情報を記憶・蓄積する手段である。
なお、記憶部２３０は、例えばハードディスク等で構成される。
【００３１】
以下の表１に、生体情報記憶部２３１に記憶・蓄積される生体情報を例示する。
表１に示すように、生体情報は、被測定者１のＩＤ（識別情報）ごとに、生体情報の取得日時と、生体情報の種類と、測定値とを示した情報である。
例えば、被測定者ＩＤ「ａａａ」のＮｏ．１の生体情報は、「04/03/29  5：16」に取得した情報であり、「脈拍数」に関する情報であり、このときの測定値は「60.2（回/分）」であることを示している。
なお、生体情報の取得日時に関する情報は、ホームサーバ２００が当該生体情報を受信した日時であっても良いし、生体情報測定装置１００が当該生体情報を測定（取得）した日時であっても良い。
【００３２】
【表１】
2005329111.tif 000003
【００３３】
概要情報作成部２２０は、生体情報記憶部２３１に記憶された生体情報を読み出して、概要情報を作成する。
例えば、概要情報作成部２２０は、被測定者ＩＤ「ａａａ」の２００４年３月２９日５時００分から５時５９分（１時間分）の脈拍数の概要情報を作成するとき、表１の被測定者ＩＤ「ａａａ」の生体情報のうち、２００４年３月２９日５時００分から５時５９分の脈拍数の情報（Ｎｏ.１の「60.2（回/分）」、Ｎｏ.２の「62.6（回/分）」、Ｎｏ.４の「61.3（回/分）」等）を抽出し、これらの平均値を算出する。そして、概要情報作成部２２０は、この算出結果を概要情報として概要情報送信部２４０へ受け渡す。
【００３４】
概要情報送信部２４０は、概要情報作成部２２０から概要情報を受け取ると、この概要情報を所定時間ごと（例えば、１時間ごと）に、ネットワーク６００経由で、センタサーバ５００へ送信する。
【００３５】
生体情報提示部２５０は、センタサーバ５００からの要求に応じて、生体情報記憶部２３１から被測定者１の生体情報を検索し、この検索した生体情報をネットワーク６００経由でセンタサーバ５００へ送信する手段である。
ここで、生体情報提示部２５０による生体情報の検索は、被測定者１の識別情報（ＩＤ）、生体情報の種類、生体情報の取得日時に関する情報等をキーとして行われる。
すなわち、センタサーバ５００は、生体情報の取得要求を送信するとき、この取得要求に被測定者１のＩＤ等、生体情報を特定するための情報を含めて送信する。そして、ホームサーバ２００はこれら情報を含む取得要求を受信すると、生体情報提示部２５０で、被測定者１のＩＤ等をキーとして、生体情報記憶部２３１から当該生体情報を検索し、検索された生体情報をセンタサーバ５００へ送信する。
【００３６】
ちなみに、概要情報作成部２２０、概要情報送信部２４０および生体情報提示部２５０は、ホームサーバ２００のＣＰＵ（図示せず）が記憶部２３０に格納されたプログラムをメモリ（図示せず）にロードし、実行することにより実現される。
【００３７】
なお、ホームサーバ２００は、テレビモニタ等の表示手段４００を接続するようにしても良い。すなわち、前記した表示部Ｍ（図３参照）に表示されるメッセージを、表示手段４００に出力・表示するようにしても良い。このように確認者２からのメッセージをテレビモニタ等に出力するようにすれば、被測定者１は確認者２からの健康管理に関するメッセージを確認しやすくなり、確認者２も被測定者１の健康管理を行いやすくなる。
【００３８】
（端末装置）
端末装置７００は、ネットワーク６００経由で、センタサーバ５００にアクセスし、生体情報および生体情報の概要情報を取得する手段である。
例えば、端末装置７００は、ＰＣ（Personal Computer）、モニタ等の表示手段、マウス、キーボード等の入力手段により構成される。端末装置７００は、センタサーバ５００から概要情報を取得すると、取得した概要情報を表示手段に表示させ、入力手段からの情報入力に応じて、この概要情報のもととなった生体情報を取得し、表示手段に表示させる。
【００３９】
なお、図２において、生体情報測定装置１００、ホームサーバ２００、センタサーバ５００および端末装置７００は、それぞれ１個ずつしか描いていないが、もちろん２個以上で構成されていても良い。これは、後記する実施の形態でも同様である。
【００４０】
（センタサーバ）
次に、適宜図１から図３を参照しつつ、図４を用いて、センタサーバ５００の説明をする。図４は、図１のセンタサーバの構成を示すブロック図である。
センタサーバ５００は、ネットワーク６００（図２参照）経由でホームサーバ２００から送信された概要情報を受信し、この情報を蓄積し、端末装置７００からの要求に応じて、概要情報を提示（送信）する。併せて、端末装置７００から生体情報の取得要求を受信したときには、ネットワーク６００経由でホームサーバ２００から当該生体情報を取得し、この情報を端末装置７００へ提示（送信）する。
センタサーバ５００は、通信部５１０と、表示情報作成部５２０と、概要情報提示部５３０と、記憶部５４０と、生体情報取得部５５０とを含んで構成される。また、センタサーバ５００は、認証部５６０を含んでいても良い。
【００４１】
通信部５１０は、ネットワーク６００経由で、ホームサーバ２００および端末装置７００との各種情報の通信を行うための手段である。
【００４２】
表示情報作成部５２０は、端末装置７００からの要求に応じて、端末装置７００へ送信する概要情報や生体情報（表示情報）を作成する手段である。
例えば、表示情報作成部５２０は、被測定者１の１週間分の概要情報（生体情報）をグラフ化した情報を作成したり、このグラフ化した情報に他の被測定者１の血圧値、運動量等の平均値を付加した表示情報を作成する。
なお、他の被測定者１の血圧値、運動量等の平均値は概要情報記憶部５４１の概要情報に基づいて作成するものとする。
【００４３】
記憶部５４０は、センタサーバ５００が生体情報管理を行うための生体情報管理用プログラムを格納し、所定領域に概要情報記憶部５４１を有する。
概要情報記憶部５４１は、センタサーバ５００がホームサーバ２００から取得した被測定者１の生体情報の概要情報を、被測定者１の識別情報ごとに記憶・蓄積する手段である。記憶部５４０は、例えば、ハードディスク等から構成される。
【００４４】
以下の表２に、概要情報記憶部５４１に記憶・蓄積される概要情報を例示する。
表２に示すように、概要情報は、被測定者１のＩＤ（識別情報）ごとに、当該概要情報が、いつからいつまでの生体情報に基づき作成された情報かを示す情報と、概要情報の種類と、測定値とを示している。
【００４５】
例えば、被測定者１のＩＤ「ａａａ」のＮｏ．１の概要情報は、「04/03/29  5：00」から「04/03/29  5：00」までの生体情報に基づいて作成された「脈拍数」に関する情報であり、測定値（生体情報の平均値）は「61.8（回/分）」であることを示している。
【００４６】
【表２】
2005329111.tif 000004
【００４７】
生体情報取得部５５０は、端末装置７００の要求に応じて、ホームサーバ２００から、概要情報のもととなった生体情報を取得する。そして、生体情報取得部５５０は、この生体情報をネットワーク６００経由で端末装置７００へ送信（提示）する。
【００４８】
例えば、生体情報取得部５５０が、確認者２（端末装置７００）より、生体情報の取得日時に関する情報（「04/03/29  5：00-5：59」）、生体情報の種類（「脈拍数」）に関する情報、被測定者１のＩＤ（「ａａａ」）等の情報等を含む生体情報の取得要求を受信すると、ネットワーク６００経由で被測定者１の生体情報を記憶・蓄積するホームサーバ２００にアクセスする。そして、このホームサーバ２００から被測定者１のＩＤ「ａａａ」の「04/03/29  5：00」から「04/03/29  5：59」までの「脈拍数」に関する生体情報を取得し、この生体情報を端末装置７００へ送信する。
なお、センタサーバ５００の記憶部５４０は、ホームサーバ２００の識別情報（ＩＰアドレス等）ごとに、各ホームサーバ２００が保持する生体情報（生体情報の持ち主である被測定者１のＩＤ）を示したテーブルを格納し、生体情報取得部５５０はこのテーブルを参照して、生体情報を取得すべきホームサーバ２００を特定するものとする。
【００４９】
また、認証部５６０は、通信部５１０経由で概要情報の取得要求を受けると、この要求が所定の確認者２（端末装置７００）からのものか否かを判断する。つまり、認証部５６０は通信相手の認証を行い、この認証結果を概要情報提示部５３０や生体情報取得部５５０に受け渡す。そして、センタサーバ５００は、所定の確認者２からの問い合わせ（概要情報の取得要求）であることの認証ができたときに、概要情報や生体情報の提示を行うようにする。
【００５０】
このように、ホームサーバ２００が生体情報の概要情報を作成し、この概要情報をセンタサーバ５００へ送信するようにするので、ホームサーバ２００が逐次生体情報を送信するよりも、ネットワーク６００の通信負荷を軽減することができる。
また、センタサーバ５００は、被測定者１の情報について、概要情報（生体情報の合計データ量よりも少ない情報）で蓄積するので、生体情報そのものを蓄積するよりも記憶媒体（ハードディスク等）の容量を少なくすることができる。
【００５１】
なお、表示情報作成部５２０、概要情報提示部５３０、生体情報取得部５５０および認証部５６０は、ＣＰＵ（図示せず）が、記憶部５４０に格納されたプログラムをメモリ（図示せず）上にロードし、実行することにより実現されるものとする。
【００５２】
（処理手順）
次に、本実施の形態の生体情報管理システムの各構成要素の処理手順を説明する。
【００５３】
（生体情報の登録、概要情報の登録）
まず、図５を用いて、ホームサーバ２００における生体情報の記憶（登録）手順およびセンタサーバ５００における概要情報の記憶（登録）手順を説明する（適宜図１から図４参照）。図５は、図１の生体情報管理システムの処理手順（生体情報管理用プログラムの処理手順）を示したフローチャートである。
【００５４】
ここでは、生体情報測定装置１００が被測定者１の脈拍を測定する場合を例に説明する。
【００５５】
まず、生体情報測定装置１００は、被測定者１の脈拍の測定を開始する（ステップＳ５０１）。ここで生体情報測定装置１００が測定を開始するタイミングは、被測定者１が生体情報測定装置１００を装着したときでも良いし、生体情報測定装置１００の図示しない電源スイッチがＯＮになったときでも良い。
生体情報測定装置１００は、測定を開始してから所定時間（例えば、１分間）経過すると（ステップＳ５０２の“Ｙｅｓ”）、所定時間分の脈拍数と被測定者１のＩＤとを無線通信でホームサーバ２００へ送信する（ステップＳ５０３）。
【００５６】
具体的には、生体情報測定部１２０で被測定者１の所定時間分の脈拍数をカウント（集計）する。そして、生体情報送信部１３０は、生体情報測定部１２０でカウントした脈拍数のデータを、無線通信部１１０経由でホームサーバ２００へ送信する。このとき、生体情報送信部１３０は、脈拍数のデータに併せて、記憶部１４０から読み出した被測定者１のＩＤも送信する。
【００５７】
ホームサーバ２００は、生体情報測定装置１００から脈拍数のデータと被測定者１のＩＤとを受信すると、この脈拍数のデータを生体情報記憶部２３１に記憶する（ステップＳ５１１）。
そして、ステップＳ５１１の処理を開始してから所定時間（例えば、１時間）経過すると（ステップＳ５１２の“Ｙｅｓ”）、概要情報作成部２２０が、被測定者１の１分間あたりの平均脈拍数を計算する（ステップＳ５１３）。
すなわち、概要情報作成部２２０は、生体情報測定装置１００から受信した所定時間分（１時間分）の脈拍数／分のデータに基づき、被測定者１の生体情報の概要情報（平均脈拍数／分）を作成する。そして、この概要情報（平均脈拍数／分）を概要情報送信部２４０へ受け渡す。
【００５８】
概要情報送信部２４０は、概要情報作成部２２０から被測定者１の概要情報（平均脈拍数／分）を受け取ると、この情報と被測定者１のＩＤとを通信部２１２経由でセンタサーバ５００へ送信する（ステップＳ５１４）。センタサーバ５００は、通信部５１０経由で、概要情報（平均脈拍数／分）を受信すると、この情報を概要情報記憶部５４１に記憶する（ステップＳ５２１）。
以上のようにして、ホームサーバ２００は被測定者１の概要情報を作成し、センタサーバ５００はその概要情報を記憶・蓄積する。
【００５９】
（概要情報の提示、生体情報の提示）
次に、図６および図７を用いて、センタサーバ５００が端末装置７００へ概要情報を提示し、ホームサーバ２００が端末装置７００へ生体情報を提示する手順について説明する（適宜図１から図５参照）。
図６および図７は、図１の生体情報管理システムの処理手順（生体情報管理用プログラムの処理手順）を示したフローチャートである。
なお、センタサーバ５００は、予め記憶部２３０に確認者２のユーザＩＤ（ＩＤ）を記憶しているものとする。
【００６０】
端末装置７００は、キーボード等の入力手段で確認者２のＩＤの入力を受け付けると、このＩＤをセンタサーバ５００へ送信する（ステップＳ６０１）。次に、センタサーバ５００は、確認者２のＩＤを受信し、認証部５６０で、このＩＤが確かに確認者２のものであるか否かの判断（認証）を行う（ステップＳ６０２）。具体的には、受信したＩＤが記憶部２３０に記憶されているか否かを判断する。
【００６１】
ここで、認証部５６０で、ステップＳ６０１で送信されたＩＤが確かに確認者２のものであると判断したとき（ステップＳ６０２の“ＯＫ”）、端末装置７００へ認証ＯＫのメッセージを送信する（ステップＳ６０３）。
【００６２】
端末装置７００は、センタサーバ５００からの認証ＯＫのメッセージを受信すると、表示手段に被測定者１のＩＤ入力を促す画面等を表示する。そして、端末装置７００は、キーボード等の入力手段から被測定者１のＩＤの入力を受け付けると、概要情報の取得要求をセンタサーバ５００へ送信する（ステップＳ６０４）。このときの概要情報の取得要求は、被測定者１から入力された被測定者１のＩＤを含むものとする。
【００６３】
一方、認証部５６０が、受信したＩＤは確認者２のものではないと判断したとき（ステップＳ６０２の“ＮＧ”）、端末装置７００へ認証ＮＧのメッセージを送信し（ステップＳ６１１）、処理を終了する。
【００６４】
センタサーバ５００は、ステップＳ６０４で端末装置７００から送信された概要情報の取得要求を受信すると、概要情報提示部５３０で概要情報記憶部５４１から被測定者１の概要情報を検索する（ステップＳ６０５）。ここでの概要情報の検索は、例えば、概要情報の取得要求に含まれる被測定者１のＩＤ等をキーとして行われる。そして、概要情報提示部５３０は、検索した被測定者１の概要情報を端末装置７００へ送信（提示）する（ステップＳ６０６）。
【００６５】
端末装置７００は、センタサーバ５００から被測定者１の概要情報を受信すると、この情報をモニタ等に表示させる（ステップＳ６０７）。
【００６６】
続いて、図７の説明をする。端末装置７００は、モニタ等に表示された概要情報のうち、より詳細な情報を表示させたい情報を指定する情報（例えば、情報の取得（測定）日時や情報の種類を指定する情報）の入力を受け付ける。
【００６７】
例えば、端末装置７００に前記した表２のような概要情報が表示され、入力手段から生体情報の日時に関する情報（「04/03/29  5：00-5：59」）および生体情報の種類（「脈拍数」）に関する情報の入力を受け付ける。このとき、端末装置７００はこれらに関する生体情報を要求するため、生体情報の日時に関する情報と、生体情報の種類に関する情報と、被測定者１のＩＤとをセンタサーバ５００へ送信する（ステップＳ７０１）。
【００６８】
なお、生体情報の日時に関する情報は、「04/03/29  5：00-5：59」等、日付と時間とを指定する情報であっても良いし、「04/03/29」等、日付のみを指定する情報であっても良い。また、複数の日時や種類にまたがって指定するようにしても良い。
【００６９】
センタサーバ５００は、端末装置７００から生体情報を要求する情報を受信すると、この情報をホームサーバ２００へ転送する。つまり、センタサーバ５００はホームサーバ２００に生体情報を要求する（ステップＳ７０２）。
【００７０】
ホームサーバ２００は、センタサーバ５００から生体情報を要求する情報を受信すると、生体情報提示部２５０は、この情報に基づいて生体情報記憶部２３１から当該生体情報を検索する（ステップＳ７０３）。例えば、生体情報提示部２５０は、受信した情報に含まれる生体情報の日時に関する情報（「04/03/29  5：00-5：59」）と、生体情報の種類（「脈拍数」）に関する情報と、被測定者１のＩＤとをキーとして、生体情報記憶部２３１から当該生体情報を検索する。
【００７１】
生体情報提示部２５０は、当該生体情報を検索すると、この生体情報をセンタサーバ５００へ送信する（ステップＳ７０４）。
【００７２】
センタサーバ５００の生体情報取得部５５０は、ホームサーバ２００から当該生体情報を受信すると、この生体情報を端末装置７００へ送信する（ステップＳ７０５）。
このとき、センタサーバ５００の生体情報取得部５５０は、ホームサーバ２００から受信した生体情報をそのまま送信（転送）するようにしても良いし、脈拍数の推移のグラフ等、被測定者１が理解しやすい形に加工した情報を送信するようしても良い。
【００７３】
端末装置７００は、ホームサーバ２００から送信された生体情報を受信すると、この情報をモニタ等に表示させ（ステップＳ７０６）、いったん処理を終了する。
【００７４】
センタサーバ５００およびホームサーバ２００が、以上のような処理を行うことで、確認者２は、被測定者１の健康状態を管理しやすくなる。すなわち、確認者２は、まず概要情報で被測定者１の健康状態の概要を把握しておき、さらに詳細な情報（被測定者１の生体情報）を確認したいときには、概要情報のもととなった生体情報の閲覧をすることが可能になる。
【００７５】
《第２の実施の形態》
次に、本発明の第２の実施の形態について、図８および図９を用いて説明する（適宜図１から図７参照）。図８は、本発明の第２の実施の形態の生体情報管理システムの概要を示した図である。図９は、図８の生体情報管理システムの構成を示すブロック図である。
まず、図８を用いて、本発明の第２の実施の形態の概要について説明する。なお、前記した第１の実施の形態と同様の構成要素は同じ符号を付して、説明を省略する。
【００７６】
第２の実施の形態は、生体情報管理システムのホームサーバ２００が、生体情報測定装置１００経由で設置型生体情報測定装置３００が測定した生体情報を取得することを特徴とする。
【００７７】
具体的には、生体情報管理システムは、設置型生体情報測定装置３００をさらに含む構成となっている。また、生体情報測定装置１００は通信制御部１７０をさらに含む構成となっている（図９参照）。
【００７８】
設置型生体情報測定装置３００（図９参照）は、例えば、居室１０に設置される体重計や血圧計等に組み込まれ、生体情報測定装置１００と無線通信を行う無線通信部３１０を備えている。
設置型生体情報測定装置３００は、生体情報測定部３２０で被測定者１の生体情報を測定し、この生体情報を無線通信で生体情報測定装置１００へ送信する。そして、生体情報測定装置１００は、この生体情報をホームサーバ２００へ送信する。すなわち、本実施の形態では、被測定者１の生体情報を、設置型生体情報測定装置３００→生体情報測定装置１００→ホームサーバ２００というように伝播させる。
【００７９】
このようにすることで、設置型生体情報測定装置３００は、生体情報測定装置１００との通信手段（無線通信部３１０）を備えていれば、ホームサーバ２００へ、生体情報へ送信できる。つまり、ホームサーバ２００で被測定者１の体重や血圧等の生体情報も管理することができる。
なお、設置型生体情報測定装置３００はホームサーバ２００とＬＡＮ（Local Area Network ）で接続するようにして、生体情報を、生体情報測定装置１００→設置型生体情報測定装置３００→ホームサーバ２００というように伝播させるようにしても良い。
【００８０】
（設置型生体情報測定装置）
以下、図９を用いて、本実施の形態の設置型生体情報測定装置３００について詳細に説明する。
図９に示すように、設置型生体情報測定装置３００は、無線通信部３１０と、生体情報測定部３２０と、生体情報送信部３３０とを含んで構成される。
【００８１】
無線通信部３１０は、生体情報測定装置１００との無線通信を行うための手段であり、例えば、無線アンテナや送受信機によって構成される。なお、無線通信は、赤外線による通信であっても良い。
【００８２】
生体情報測定部３２０は、被測定者１の体重や血圧等の生体情報を測定する生体センサＳ２を備える手段である。例えば、生体情報測定装置１００をトイレに組み込むようにして、生体情報測定部３２０で被測定者１の尿糖値等を測定するようにしても良い
【００８３】
生体情報送信部３３０は、生体情報測定部３２０で測定した生体情報を、無線通信で自身（設置型生体情報測定装置３００）から所定距離内（例えば、半径０．５ｍ以内）の生体情報測定装置１００へ送信する手段である。具体的には、無線通信部１１０の電波が届く距離を前記所定距離内にするようにして、生体情報を送信する。
ここで、生体情報送信部３３０が、自身から所定距離内の生体情報測定装置１００へ生体情報を送信するようにしたのは、設置型生体情報測定装置３００の周辺に複数の被測定者１が居たときに、被測定者１の生体情報（測定データ）を、誤って他の被測定者１（生体情報測定装置１００）へ送信してしまう可能性を低くするためである。
ちなみに、生体情報送信部３３０が送信する生体情報は、体重、血圧等の測定値の他、ヘッダ情報として生体情報の種類（体重、血圧等）に関する情報を含むものとする。
なお、生体情報測定部３２０および生体情報送信部３３０は、設置型生体情報測定装置３００のＣＰＵ（図示せず）が、メモリ（図示せず）に記憶されたプログラムを実行することにより実現されるものとする。
【００８４】
（生体情報測定装置）
次に、本実施の形態の生体情報測定装置１００の特徴的構成である通信制御部１７０について説明する。
通信制御部１７０は、設置型生体情報測定装置３００から生体情報を受信すると、生体情報送信部３３０にこの情報をホームサーバ２００へ送信（転送）させる手段である。
【００８５】
例えば、通信制御部１７０は、設置型生体情報測定装置３００から［収縮期血圧（生体情報の種類）］［１３０mmHg（測定値）］という情報を取得すると、この情報を生体情報送信部１３０へ受け渡す。そして、通信制御部１７０は生体情報送信部１３０に、この情報に被測定者１のＩＤおよび取得日時（測定日時）に関する情報を付した［ａａａａ（被測定者１のＩＤ）］［04/02/23  13：49（取得日時）］［収縮期血圧（生体情報の種類）］［１３０mmHg（測定値）］という情報を作成させ、この情報をホームサーバ２００へ送信させる。
このように、設置型生体情報測定装置３００で被測定者１の血圧を測定することで、前記したリストバンド型の生体情報測定装置１００で被測定者１の血圧を測定するよりも、正確な血圧を測定することができる。
【００８６】
なお、通信制御部１７０は、生体情報測定装置１００のＣＰＵ（図示せず）が記憶部１４０に記憶された所定のプログラムを実行することにより実現されるものとする。
【００８７】
（処理手順）
以下、図１０を用いて本実施の形態の生体情報管理システムの処理手順を説明する（適宜図１から図９参照）。図１０は、図８の生体情報管理システムの処理手順（生体情報管理用プログラムの処理手順）を示したフローチャートである。
【００８８】
まず、設置型生体情報測定装置３００は、生体情報測定部３２０で被測定者１の体重等の生体情報を測定する（ステップＳ１００１）。
生体情報の測定タイミングは、例えば、設置型生体情報測定装置３００が体重を測定する装置の場合、生体センサＳ２で加重を検知したとき測定を開始するようにしても良い。また、設置型生体情報測定装置３００に組み込まれたセンサ等（図示せず）で、被測定者１が所定距離内に近づいたことを検知したとき、測定を開始するようにしても良い。
そして、生体情報送信部３３０は、測定した生体情報を受け取ると、この情報を無線通信部３１０経由で生体情報測定装置１００へ送信する（ステップＳ１００２）。
【００８９】
このとき、生体情報送信部３３０は、設置型生体情報測定装置３００から所定距離内の生体情報測定装置１００へ生体情報を送信するようにする。
このようにすることで、設置型生体情報測定装置３００の付近に複数の被測定者１が居たときでも、設置型生体情報測定装置３００が被測定者１の生体情報（測定データ）を、誤って他の被測定者１（生体情報測定装置１００）へ送信してしまう可能性を低くすることができる。
【００９０】
例えば、設置型生体情報測定装置３００の付近に被測定者１ａと被測定者１ｂとが居たときに、被測定者１ａの生体情報を測定し、この生体情報を被測定者１ｂが装着している生体情報測定装置１００へ送信してしまうことを防止できる。
すなわち、被測定者１ｂの生体情報測定装置１００が、被測定者１ａの生体情報を受信し、この情報に被測定者１ｂのＩＤを付加してホームサーバ２００へ送信するのを防止することができる。
【００９１】
生体情報測定装置１００の通信制御部１７０は、設置型生体情報測定装置３００から生体情報を受信すると、生体情報送信部３３０に、この情報に記憶部１４０から読み出した被測定者１のＩＤとタイムスタンプ（取得日時）とを付した情報を作成させ、無線通信部１１０経由でホームサーバ２００へ送信させる（ステップＳ１００３）。
【００９２】
次に、ホームサーバ２００は、無線通信部２１１経由で、生体情報測定装置１００から被測定者１のＩＤを含む生体情報を受信すると、この情報を生体情報記憶部２３１に記憶させる（ステップＳ１００４）。
【００９３】
このようにすることで、ホームサーバ２００は、体重や血圧等、生体情報測定装置１００では測定にしにくい生体情報を取得し、管理することができる。
【００９４】
なお、本実施の形態において、生体情報送信部３３０は、自身（設置型生体情報測定装置３００）から所定距離内の生体情報測定装置１００へ生体情報を送信するようにしたが、自身から最も近い生体情報測定装置１００へ生体情報を送信するようにしても良い。
【００９５】
なお、本実施の形態において、設置型生体情報測定装置３００は体重計や血圧計に組み込まれる場合を例として説明したが、例えば、トイレ、風呂の照明ボタン、扉、寝具等に組み込むようにしても良い。
すなわち、設置型生体情報測定装置３００で、被測定者１がトイレを利用したか、風呂を利用したか、所定の部屋への入室／退室をしたか、就寝したか等、被測定者１の生活イベントを取得し、ホームサーバ２００（およびセンタサーバ５００）へ送信するようにする。このようにすることで、センタサーバ５００は被測定者１の生活イベント（安否情報）も管理対象とすることができる。つまり、確認者２は、被測定者１の状態をより詳細に把握できる。
【００９６】
《第３の実施の形態》
次に、本発明の第３の実施の形態について、図１１および図１２を用いて説明する（適宜図１から図１０参照）。図１１は、本発明の第３の実施の形態の生体情報管理システムのセンタサーバの構成を示したブロック図である。
なお、前記した実施の形態と同様の構成要素は同じ符号を付して、説明を省略する。
【００９７】
第３の実施の形態は、センタサーバ５００が概要情報記憶部５４１の概要情報から被測定者１の健康状態を解析し、この解析結果を端末装置７００（確認者２）に提示（送信）するようにしたことを特徴とする。
具体的には、図１１に示すように、センタサーバ５００は、健康アドバイスデータベース（ＤＢ）部５４２と健康状態解析部５７０とをさらに含む構成となっている。
なお、システムの全体構成は、前記した実施の形態と同様であるので、説明を省略する。
【００９８】
健康アドバイスデータベース（ＤＢ）部５４２は、被測定者１の概要情報（生体情報）ごとに、その生体情報（健康状態）に対する健康アドバイスを示した情報を記憶する手段である。健康状態解析部５７０は、被測定者１の概要情報に基づき、健康アドバイスＤＢ部５４２から被測定者１に与えるべき健康アドバイスを検索する手段である
【００９９】
以下の表３に、健康アドバイスＤＢ部５４２に格納される健康アドバイスを例示する。
【０１００】
【表３】
2005329111.tif 000005
【０１０１】
表３に示すように、健康アドバイスは、概要情報の条件に関する項目と、その条件に対する健康アドバイスに関する項目とで構成される。
【０１０２】
例えば、健康状態解析部５７０で、被測定者１の概要情報（歩数の情報）に基づき、被測定者１の健康状態について「１日の歩数が3000歩に満たない」と判断したとき、健康アドバイスＤＢ部５４２を検索し、「運動量が少ないです。天気が良い日には散歩に出かけましょう。」という健康アドバイスを取得する。そして、この情報を表示情報作成部５２０へ受け渡す。
表示情報作成部５２０は、健康状態解析部５７０から被測定者１の健康アドバイスの情報を受け取ると、この健康アドバイスを含む表示情報を作成する。
【０１０３】
図１２は、図１１の表示情報作成部が作成する表示情報を例示した図である。例えば、表示情報作成部５２０は、図１２に例示されるように、健康状態解析部５７０から受け取った被測定者１の健康アドバイスに、被測定者１の歩数（概要情報）の推移と、センタサーバ５００が算出した各被測定者１（本システムの利用者）の平均的な歩数とを加えた表示情報を作成する。
【０１０４】
センタサーバ５００は、この表示情報を端末装置７００へ送信し、端末装置７００はこの情報をモニタ等に表示させる。確認者２は、この表示情報を閲覧し、被測定者１の健康状態や被測定者１に与えるべき健康アドバイスを把握する。
【０１０５】
ここで、センタサーバ５００から端末装置７００へ表示情報を送信するタイミングは、所定期間ごとでも良いし、端末装置７００（確認者２）からの情報の取得要求があったときでも良い。
【０１０６】
また、センタサーバ５００は、この表示情報を生体情報測定装置１００（被測定者１）へ送信するようにしても良い。つまり、生体情報測定装置１００で前記した表示情報を表示部Ｍに表示するようにして、被測定者１が自分の健康状態を把握しやすいようにしたり、健康アドバイスを受けやすくするようにしても良い。
【０１０７】
《第４の実施の形態》
次に、本発明の第４の実施の形態について、図１３から図１５を用いて説明する（適宜図１から図１２参照）。図１３は、本発明の第４の実施の形態の生体情報管理システムの構成を示した図である。図１４は、図１３のセンタサーバの構成を示した図である。図１５は、図１３の生体情報管理システムの処理手順（生体情報管理用プログラムの処理手順）を示すフローチャートである。
なお、前記した実施の形態と同様の構成要素は同じ符号を付して、説明を省略する。
【０１０８】
第４の実施の形態は、ホームサーバ２００が、所定時間ごとに生体情報測定装置１００（被測定者１）へメッセージを送信し、生体情報測定装置１００（被測定者１）からの応答をセンタサーバ５００で記憶するようにしたことを特徴とする。
【０１０９】
具体的には、図１３に示すように、ホームサーバ２００は、生体情報測定装置１００（被測定者１）へ送信するメッセージおよびそのメッセージの送信タイミングを記憶したメッセージ情報記憶部２３２と、このメッセージ情報記憶部２３２の情報にしたがってメッセージを送信するメッセージ送信部２６０とをさらに含む構成となっている。
また、図１４に示すように、センタサーバ５００は、生体情報測定装置１００からの応答を応答入力のあった日時とともに記憶する応答履歴記憶部５４３をさらに含む構成となっている。
【０１１０】
なお、メッセージ送信部２６０は、ホームサーバ２００のＣＰＵ（図示せず）が、記憶部２３０に記憶されたプログラムをメモリ（図示せず）にロードし、実行することにより実現されるものとする。
各構成要素の詳細については、後記する処理手順の項で説明する。
【０１１１】
（処理手順）
図１５を用いて、本実施の形態の生体情報管理システムの処理手順（生体情報管理プログラムの処理手順）について説明する（適宜図１から図１４参照）。
まず、端末装置７００は入力手段から、生体情報測定装置１００（被測定者１）へのメッセージの内容およびメッセージの送信スケジュールの入力を受け付ける（ステップＳ１５０１）。
ここで入力されるメッセージの内容は、例えば、「血圧の薬を飲んで下さい」等の服薬を促すメッセージや、「血圧計で血圧を測定して下さい」等の生体情報の測定を促すメッセージ等が考えられる。また、送信スケジュールは、例えば、「３時間ごと」等の送信間隔を指定したものの他、「毎日１２時（所定日時）」等の送信日時を指定したものが考えられる。
【０１１２】
そして、端末装置７００はこれらの情報をホームサーバ２００へ送信し、ホームサーバ２００は送信された情報を受信すると、この情報をメッセージ情報記憶部２３２へ記憶する（ステップＳ１５０２）。
【０１１３】
次に、ホームサーバ２００のメッセージ送信部２６０は、生体情報測定装置１００へメッセージを送信するタイミングを待つ（ステップＳ１５０３）。そして、送信タイミングが来ると（ステップＳ１５０３の“Ｙｅｓ”）、メッセージ情報記憶部２３２に記憶された生体情報測定装置１００（被測定者１）へのメッセージを送信する（ステップＳ１５０４）。
なお、メッセージ送信部２６０の送信タイミングは、ホームサーバ２００のタイマ（図示せず）およびメッセージ情報記憶部２３２の送信スケジュールの情報を参照して判断されるものとする。
【０１１４】
生体情報測定装置１００は、ホームサーバ２００からメッセージを受信すると、このメッセージを表示部Ｍ（図３参照）へ表示し（ステップＳ１５０５）、被測定者１に服薬や、血圧の測定等を促す。
【０１１５】
このようにすることで、被測定者１の薬の飲み忘れや、血圧等の測定のし忘れを防止できる。また、確認者２も被測定者１への投薬（服薬）管理や、定期的な血圧等の測定を促すことができるので、被測定者１のコンプライアンス（服薬等の遵守）を向上させることができる。
【０１１６】
この後、生体情報測定装置１００は、応答入力部Ｒ（図３参照）に被測定者１からの応答入力がされるのを待つ（ステップＳ１５０６）。ここで、確認者２からの応答入力が有ったとき（ステップＳ１５０６の“Ｙｅｓ”）、応答入力制御部１６０からホームサーバ２００へ応答を送信する（ステップＳ１５０７）。このとき、応答入力制御部１６０は、応答入力部Ｒから入力された応答に、応答をした時刻に関する情報（タイムスタンプ）を含めた情報をホームサーバ２００へ送信する。そして、ホームサーバ２００は、この応答（応答情報）をセンタサーバ５００へ送信（転送）する（ステップＳ１５０８）。
【０１１７】
センタサーバ５００は、ホームサーバ２００経由で生体情報測定装置１００から送信された応答（応答情報）を受信すると、この応答情報を応答履歴記憶部５４３に記憶し（ステップＳ１５０９）、一旦処理を終了する。
【０１１８】
この後、センタサーバ５００は、端末装置７００からの応答履歴の取得（提示）要求を受信すると、当該被測定者１の応答履歴を端末装置７００へ送信する。すなわち、確認者２は、被測定者１へメッセージを送信した後、被測定者１からの応答が有ったか否かを確認することができる。また、確認者２が被測定者１の応答履歴を確認することを、予め被測定者１に知らせておけば、被測定者１のコンプライアンスを向上させることにもなる。
なお、応答履歴は、応答履歴記憶部５４３で記憶・格納するようにしたが、概要情報記憶部５４１の一部で記憶・格納するようにしても良い。
【０１１９】
また、ホームサーバ２００が生体情報測定装置１００へメッセージを送信したとき、このときの送信履歴をホームサーバ２００またはセンタサーバ５００の応答履歴記憶部５４３で記憶するようにしても良い。このようにすることで、例えば、確認者２は自分が送信したメッセージに対して、被測定者１が応答したか否かをチェックすることができる。
【０１２０】
また、前記した実施の形態では、メッセージ送信部２６０から生体情報測定装置１００へのメッセージの送信は、予め設定されたタイミングとしたが、確認者２が端末装置７００の入力手段でメッセージの送信命令を入力したタイミングであっても良い。
すなわち、例えば、確認者２が、端末装置７００の入力手段で「食後に血圧の薬を飲んだ方が良い」というメッセージを入力し、確認者２が入力手段へメッセージの送信命令を入力（画面の送信ボタンのクリック等）したタイミングで、センタサーバ５００からメッセージを送信するようにしても良い。
【０１２１】
《その他の実施の形態》
本発明は、前記した実施の形態に限定されず、発明の趣旨を逸脱しない範囲で応用可能である。
例えば、第３の実施の形態の実施の形態において、健康状態解析部５７０は、センタサーバ５００に含まれる構成としたが、ホームサーバ２００に含まれる構成であってもよい。
また、ホームサーバ２００が健康状態解析部５７０に用いるプログラムについて、追加・修正するときには、センタサーバ５００がネットワーク６００経由でホームサーバ２００へ送信するようにしても良い。
すなわち、ホームサーバ２００がネットワーク６００経由でセンタサーバ５００からプログラムをダウンロードする機能や、センタサーバ５００がネットワーク６００経由でホームサーバ２００へプログラムを配信する機能を備えていても良い。
【０１２２】
なお、本発明の実施の形態に係る生体情報測定装置１００、ホームサーバ２００、センタサーバ５００および端末装置７００は、コンピュータ及びプログラムによって実現することができ、そのプログラムをコンピュータに読み取り可能な記憶媒体（ＣＤ−ＲＯＭ等）に記憶し、その記憶媒体によって提供することも可能である。また、そのプログラムを、ネットワークを通して提供することも可能である。
ここでいうコンピュータシステムとは、ＯＳ（Operating System）等のソフトウェアや周辺機器等のハードウエアを含むものである。
【図面の簡単な説明】
【０１２３】
【図１】本発明の第１の実施の形態の生体情報管理システムの概要を示した図である。
【図２】図１の生体情報管理システムの構成を示したブロック図である。
【図３】リストバンド型の生体情報測定装置を例示した図である。
【図４】図１のセンタサーバの構成を示すブロック図である。
【図５】図１の生体情報管理システムの処理手順を示したフローチャートである。
【図６】図１の生体情報管理システムの処理手順を示したフローチャートである。
【図７】図１の生体情報管理システムの処理手順を示したフローチャートである。
【図８】本発明の第２の実施の形態の生体情報管理システムの概要を示した図である。
【図９】図８の生体情報管理システムの構成を示すブロック図である。
【図１０】図８の生体情報管理システムの処理手順を示したフローチャートである。
【図１１】本発明の第３の実施の形態の生体情報管理システムのセンタサーバの構成を示したブロック図である。
【図１２】図１１の表示情報作成部が作成する表示情報を例示した図である。
【図１３】本発明の第４の実施の形態の生体情報管理システムの構成を示した図である。
【図１４】図１３のセンタサーバの構成を示した図である。
【図１５】図１３の生体情報管理システムの処理手順を示すフローチャートである。
【符号の説明】
【０１２４】
１（１ａ，１ｂ）  被測定者
２      確認者
１０    居室
１００  生体情報測定装置
１１０  無線通信部
１２０  生体情報測定部
１３０  生体情報送信部
１４０  記憶部
１５０  表示制御部
１６０  応答入力制御部
１７０  通信制御部
２００  ホームサーバ
２１１  無線通信部
２１２  通信部
２２０  概要情報作成部
２３０  記憶部
２３１  生体情報記憶部
２３２  メッセージ情報記憶部
２４０  概要情報送信部
２５０  生体情報提示部
２６０  メッセージ送信部
３００  設置型生体情報測定装置
３１０  無線通信部
３２０  生体情報測定部
３３０  生体情報送信部
４００  表示手段
５００  センタサーバ
５１０  通信部
５２０  表示情報作成部
５３０  概要情報提示部
５４０  記憶部
５４１  概要情報記憶部
５４２  健康アドバイスＤＢ部
５４３  応答履歴記憶部
５５０  生体情報取得部
５６０  認証部
５７０  健康状態解析部
６００  ネットワーク
７００  端末装置
Ｍ      表示部
Ｒ      応答入力部
Ｓ      生体センサ
Ｓ２    生体センサ
【図１】
2005329111.tif 000006
【図２】
2005329111.tif 000007
【図３】
2005329111.tif 000008
【図４】
2005329111.tif 000009
【図５】
2005329111.tif 000010
【図６】
2005329111.tif 000011
【図７】
2005329111.tif 000012
【図８】
2005329111.tif 000013
【図９】
2005329111.tif 000014
【図１０】
2005329111.tif 000015
【図１１】
2005329111.tif 000016
【図１２】
2005329111.tif 000017
【図１３】
2005329111.tif 000018
【図１４】
2005329111.tif 000019
【図１５】
2005329111.tif 000020